(57)【要約】【課題】ＯＳ起動開始前に、装置のハードウェア環境に応じて画面表示制御を変えることができる自動取引装置を提供する。【解決手段】第１表示部と第２表示部とを有する自動取引装置において、前記各表示部（３，４）はモニタ種別情報を保持し、当該装置の電源が投入されてからＯＳ（７）が起動開始するまでに、前記モニタ種別情報に基づいて、前記各表示部（３，４）の表示を不可視化させる制御部（２１）を有することを特徴とする自動取引装置。【選択図】図２
2015185038.tif 000002
【特許請求の範囲】
【請求項１】
第１表示部と第２表示部とを有する自動取引装置において、
前記各表示部はモニタ種別情報を保持し、
当該装置の電源が投入されてからＯＳが起動開始するまでに、前記モニタ種別情報に基づいて、前記各表示部の表示を不可視化させる制御部を有することを特徴とする自動取引装置。
【請求項２】
前記制御部は、
前記モニタ種別情報が保守点検モニタであれば、当該モニタ種別情報を保持する表示部の表示を可視化させ、
一方、前記モニタ種別情報が通常利用モニタであれば、当該モニタ種別情報を保持する表示部の表示を不可視化させる
ことを特徴とする請求項１に記載された自動取引装置。
【請求項３】
前記制御部は、
前記ＯＳ起動完了後に、前記モニタ種別情報が通常利用モニタの表示部の表示を可視化させる
ことを特徴とする請求項２に記載された自動取引装置。
【請求項４】
前記表示部の表示を不可視化させる対象の参照用モニタ種別情報が、ＢＩＯＳプログラムが記憶された不揮発性記憶部に格納されており、
前記制御部は、前記モニタ種別情報と前記参照用モニタ種別情報とを比較して判定することを特徴とする請求項１ないし請求項３のいずれか一項に記載された自動取引装置。
【請求項５】
前記表示部の表示を不可視化させるとは、バックライトを消灯させる指示を当該表示部に出力することを特徴とする請求項１ないし請求項４のいずれか一項に記載された自動取引装置。
【請求項６】
前記表示部の表示を不可視化させるとは、画面全体が黒色で表示される映像信号を当該表示部に出力することを特徴とする請求項１ないし請求項４のいずれか一項に記載された自動取引装置。
【請求項７】
前記表示部の表示を可視化させるとは、バックライトを点灯させる指示を当該表示部に出力することを特徴とする請求項２または請求項３に記載された自動取引装置。
【請求項８】
前記モニタ種別情報は、ＥＤＩＤ（Extended Display Identification Data）を用いて取得できる情報であることを特徴とする請求項１ないし請求項７のいずれか一項に記載された自動取引装置。
【請求項９】
前記各表示部が保持するモニタ種別情報は、アナログ映像ケーブルの接続端子が有する空きピンの短絡／開放により種別毎に規定されており、
前記制御部は、前記空きピンの短絡／開放の判定結果に基づいて、前記各表示部の表示を不可視化させる
ことを特徴とする請求項１ないし請求項７のいずれか一項に記載された自動取引装置。
【請求項１０】
前記制御部は、
前記不可視化させた通常利用モニタに送信していた映像信号を、前記可視化させた保守点検モニタに送信することを特徴とする請求項２に記載された自動取引装置。
【請求項１１】
第１表示部と第２表示部とを有する自動取引装置に内蔵され、前記第１表示部及び前記第２表示部それぞれと映像ケーブルで接続される制御装置であって、
前記表示部の表示を不可視化させる対象の参照用モニタ種別情報が格納された不揮発性記憶部を備え、
当該装置の電源が投入されてからＯＳを起動開始するまでに、
前記各表示部からモニタ種別情報を受信し、
前記モニタ種別情報と前記参照用モニタ種別情報とを比較して、
前記モニタ種別情報が保守用であれば、当該モニタ種別情報を保持する表示部に表示を可視化させ、
前記モニタ種別情報が顧客用であれば、当該モニタ種別情報を保持する表示部に表示を不可視化させる
ことを特徴とする制御装置。
【発明の詳細な説明】
【技術分野】
【０００１】
本発明は、自動取引装置及び自動取引装置が備える制御装置に関し、特に、銀行やコンビニエンスストア等に設置された自動取引装置の電源をオンにしてから、内蔵された制御装置により業務アプリケーションが起動して、自動取引装置が備えるモニタ（表示部）に画面が表示されるまでの画面表示制御技術に関する。
【背景技術】
【０００２】
従来、自動取引装置（ＡＴＭ；Automated Teller Machine）は、設置される場所により装置が異なるものであった。例えば、銀行に設置されるＡＴＭ（以下、銀行ＡＴＭと称する）は、保守用画面を表示する係員モニタと、顧客（利用者）が操作して取引する画面を表示する顧客モニタとを備えていた（特許文献１）。一方、大型スーパーやコンビニエンスストア等の小売店に設置されるＡＴＭ（以下、コンビニＡＴＭと称する）は、係員モニタがなく、顧客モニタのみを備えていた。
【０００３】
ここで、銀行ＡＴＭとコンビニＡＴＭとの違いを説明する。
銀行ＡＴＭに内蔵された制御装置は、電源をオンにした後、係員モニタに保守用画面を表示させて、（ＡＴＭの保守作業を行う）係員にＢＩＯＳ（Basic Input/Output System）設定の変更等の保守作業を行わせていた。一方、制御装置は、保守作業中における顧客モニタの画面を非表示にしていた。保守作業終了後に、銀行ＡＴＭが内蔵する制御装置は、ＯＳ（Operating System）を起動させ、業務アプリケーションを起動させることで、顧客モニタに画面が表示された。つまり、銀行ＡＴＭにおいて、係員モニタは常に画面が表示される一方、顧客モニタは業務アプリケーションが起動するまで画面が表示されなかった。
また、コンビニＡＴＭは、保守用画面を表示させないことが前提となっており、すなわち、係員モニタの代わりに顧客モニタに保守用画面が表示されるようになっていなかった。そのため、コンビニＡＴＭに内蔵された制御装置は、電源をオンにしてから、業務アプリケーションが起動するまで、顧客モニタに画面が表示されなかった。
【０００４】
さて、近年、特許文献２に示すように顧客モニタを２つ備えるＡＴＭが存在し、このＡＴＭ（以下、二画面ＡＴＭと称する）は、顧客モニタとして顧客用ＬＣＤ（Liquid Crystal Display）と告知用ＬＣＤとを備えた。この顧客用ＬＣＤには、取引にかかる案内画像が画面に表示された。また、告知用ＬＣＤには、稼動状況や取扱いサービス等、装置の取扱いに関する告知情報が画面に表示された。この告知用ＬＣＤを設けたことにより、二画面ＡＴＭの正面（表示が見える位置）にいる人だけでなく二画面ＡＴＭの周囲にいる人に対しても情報が提供された。
【先行技術文献】
【特許文献】
【０００５】
【特許文献１】特開平１１−３２８４９０号公報
【特許文献２】特開２００９−５９１０９号公報
【発明の概要】
【発明が解決しようとする課題】
【０００６】
しかしながら、銀行ＡＴＭ、単画面ＡＴＭ（単画面コンビニＡＴＭ）、二画面ＡＴＭ（二画面コンビニＡＴＭ）それぞれに内蔵される制御装置を銀行ＡＴＭのもので統一させた場合、二画面ＡＴＭの顧客用ＬＣＤが顧客モニタ、告知用ＬＣＤが係員モニタとして扱われてしまう。そのため、この二画面ＡＴＭをコンビニ等の小売店に設置して利用したとき、保守用画面（係員モニタ）を表示させないことが前提となっているにもかかわらず、二画面ＡＴＭに内蔵された制御装置は、電源をオンにした後、告知用ＬＣＤ（サブモニタ）に画面が表示されてしまい、そこには保守用画面が表示されてしまうという問題点があった。
【０００７】
本発明は、以上のような問題を解決するためになされたものであり、ＯＳ起動開始前に、装置のハードウェア環境に応じて画面表示制御を変える自動取引装置及び自動取引装置が備える制御装置を提供することを課題とする。
【課題を解決するための手段】
【０００８】
前記課題を解決するために、本発明の自動取引装置は、第１表示部と第２表示部とを有する自動取引装置において、前記各表示部はモニタ種別情報を保持し、当該装置の電源が投入されてからＯＳが起動するまでに、前記モニタ種別情報に基づいて、前記各表示部の表示を不可視化させる制御部を有することを特徴とする。
【発明の効果】
【０００９】
本発明によれば、ＯＳ起動開始前に、装置のハードウェア環境に応じて画面表示制御を変えることができる。このため、画面表示先を制限できる。また、個々のＡＴＭに行うべき設置された環境に応じた各種設定が容易になる。
【図面の簡単な説明】
【００１０】
【図１】本発明に係る自動取引装置の種類別外観図である。（ａ）銀行ＡＴＭ（二画面）、（ｂ）単画面コンビニＡＴＭ（一画面）、（ｃ）二画面コンビニＡＴＭ（二画面）
【図２】本発明に係る自動取引装置の構成を示すブロック図である。
【図３】本発明に係る自動取引装置が実行する画面制御初期動作のフローチャートである。
【図４】図３から続く本発明に係る自動取引装置が実行する画面制御初期動作のフローチャートである。
【発明を実施するための形態】
【００１１】
以下、図面を参照して、本発明の実施の形態（以下、「本実施形態」と称する）につき詳細に説明する。なお、各図は、本発明について概略的に示してあるに過ぎない。よって、本発明は、図示例のみに限定されるものではない。また、各図において、共通する構成要素や同様な構成要素については、同一の符号を付し、それらの重複する説明を省略する。
【００１２】
≪ＡＴＭの種類≫
本発明において自動取引装置（ＡＴＭ；Automated Teller Machine）は大きく３つに分類される。
（ａ）銀行ＡＴＭ
（ｂ）単画面コンビニＡＴＭ
（ｃ）二画面コンビニＡＴＭ
【００１３】
図１（ａ）は、銀行ＡＴＭの外観図である。この銀行ＡＴＭ１０ａは、主に銀行の店舗やＡＴＭコーナー等に設置されるタイプであり、係員モニタＭと顧客モニタＣとを備える。
図１（ｂ）は、単画面コンビニＡＴＭの外観図である。この単画面コンビニＡＴＭ１０ｂは、主に小売店や駅構内等に設置されるタイプであり、顧客モニタＣのみを備える。
図１（ｃ）は、二画面コンビニＡＴＭの外観図である。この二画面コンビニＡＴＭ１０ｃは、主に小売店や駅構内等に設置されるタイプであり、顧客モニタＣを２つ備える。
【００１４】
銀行に設置されるタイプの銀行ＡＴＭ１０ａ（ＡＴＭ１）は、正面側に顧客モニタＣを備え、背面側に係員モニタＭを備える。この顧客モニタＣには、顧客（利用者）が取引操作をする際の取引画面が表示される。一方、係員モニタＭには、係員（利用者）が銀行ＡＴＭ１０ａをメンテナンスする際の保守画面が表示される。この銀行ＡＴＭ１０ａは、壁に埋め込まれて設置される構造となっており、顧客モニタＣと係員モニタＭとが壁で仕切られることで、別室の係員モニタＭが顧客に覗かれる心配がない。しかしながら、銀行ＡＴＭ１０ａを設置するにはかなり広いスペースが必要となる。
【００１５】
一方、小売店に設置されるタイプのコンビニＡＴＭ（単画面コンビニＡＴＭ１０ｂ（ＡＴＭ１）、二画面コンビニＡＴＭ１０ｃ（ＡＴＭ１））は、設置場所が限定されることや防犯上に問題があること等の小売店側からの要望で係員モニタＭを備えることができない。
このコンビニＡＴＭ（単画面コンビニＡＴＭ１０ｂ、二画面コンビニＡＴＭ１０ｃ）の顧客モニタＣには、銀行ＡＴＭ１０ａと同様に、顧客が取引操作をする際の取引画面が表示される。ここで、二画面コンビニＡＴＭ１０ｃは、２つの顧客モニタＣを備えるが、そのうちの１つは例えば告知用のサブモニタＳとして使用される。このサブモニタＳには、稼動状況や取扱いサービス等、装置の取扱いに関する告知情報の画面が表示される。
【００１６】
≪ＡＴＭ１≫
図２は、本実施形態に係る自動取引装置の構成を示すブロック図である。この図２では２つのモニタ（ディスプレイ）を備えるＡＴＭ（銀行ＡＴＭ１０ａと二画面コンビニＡＴＭ１０ｃ）について説明する。
【００１７】
ＡＴＭ１は、制御装置２と、モニタ３，４とを備え、制御装置２とモニタ３，４それぞれとの間は、映像ケーブル３３，４３で接続される。ＡＴＭ１の電源が投入されることで、制御装置２及びモニタ３，４に商用電力が供給される。
さらに、ＡＴＭ１は一般的な自動取引装置が備える紙幣取扱部５１や硬貨取扱部５２、近接センサ５３、カードリーダライタ部５４、レシート部５５等を備える。これらも制御装置２により制御される。
ここで、制御装置２は、コンピュータであり、映像ケーブル３３，４３を介してモニタ３，４に映像信号を送信したり、モニタ３，４の画面表示制御を指示したりする。詳細は後記する。
【００１８】
（モニタ３，４）
モニタ３は、利用者（顧客や係員等）が視認可能な情報を表示する表示部であり、例えば、ＬＣＤ（Liquid Crystal Display）やディスプレイ等である。また、ＡＴＭ１に備えられるため、顧客モニタＣにはタッチパネル等の操作部としての機能があるが、本発明では必要な機能ではないため以下説明を省略する。
このモニタ３は、画面３１と、映像表示部３２と、映像ケーブル３３と、信号送受信部３４とを備える。また、本実施形態において、画面３１は不図示のバックライトを備える。モニタ３は、電力が供給されることで画面３１に映像を表示することが可能になるが、バックライトが点灯しないと、利用者は画面３１に表示された映像を視認することができない（不可視）。
また、モニタ４は、図２に示すようにモニタ３と同様の構成を備えるため、説明を省略する。
【００１９】
（画面３１）
画面３１は、映像が表示される画面である。例えば、画面３１が備えるバックライト（不図示）が点灯していることで、利用者は画面３１に表示された映像を視認することができる。すなわち、画面３１に映像が表示されていても、例えば、バックライトが消灯していることで、利用者には、黒色の画面としか見えなかったり、文字や図形を判別することができなかったりして、画面３１の表示が不鮮明（不明瞭、不明確）となり、利用者は、画面の表示内容を正しく視認することができない（不可視）。
【００２０】
（映像表示部３２）
映像表示部３２は、画面３１に映像を表示させる手段である。
この映像表示部３２は、映像信号を逐次変換して映像を画面３１に表示させる機能と、制御部２１からの指示に応じて画面３１の表示制御を行う機能とを有する。すなわち、映像表示部３２は、場合によっては画面３１に映像を表示させない。例えば、画面３１が備えるバックライト（不図示）の制御を行うことで、画面３１の表示制御を行う。
【００２１】
（映像ケーブル３３）
映像ケーブル３３は、一端がモニタ３に接続され、他端が制御装置２に接続されて、映像信号等が送信される信号線である。モニタ３の映像ケーブル３３と、モニタ４の映像ケーブル４３とは、それぞれ制御装置２の外部接続ユニット２６に接続されている。
本実施形態において、映像ケーブル３３はデジタルケーブルであり、特にＤＶＩ（Digital Visual Interface）端子を有するデジタルケーブルであるとして説明する。
【００２２】
（信号送受信部３４）
信号送受信部３４は、映像ケーブル３３で接続された機器（ハードウェア）との情報の入出力に使用するインタフェースを備え、信号の送受信を行う手段である。この信号送受信部３４は、映像ケーブル３３から受信した映像信号を映像表示部３２に提供する機能や、接続先からの要求に対してその要求に応じた応答信号を送信する機能等を有する。
本実施形態において、信号送受信部３４は、一例としてＤＶＩポートを備える場合について説明する。
【００２３】
≪制御装置２≫
制御装置２は、ＡＴＭ１が備える各構成部が機能するように制御するコンピュータであり、制御部２１と、記憶部２２と、フラッシュメモリ２３と、ＳＲＡＭ２４と、画像処理部２５と、外部接続ユニット２６とを備える。
【００２４】
（制御部２１）
制御部２１は、例えばＣＰＵ（Central Processing Unit）で構成され、ＣＰＵが記憶手段（記憶部２２、フラッシュメモリ２３）に格納されるプログラムを実行することによって実現される。制御部２１は、制御装置２を構成する各構成部と制御線（ＰＣＩバス等）で接続され、各構成部が機能するように制御する。
本実施形態において、制御部２１は、ＡＴＭ１の電源投入（電源オン）後、フラッシュメモリ２３から後記するＢＩＯＳプログラム６を読み込む。これによりＢＩＯＳが起動し、制御部２１はＢＩＯＳの機能を実現する。
そのＢＩＯＳの機能を終えた制御部２１は、ブートローダから記憶部２２内のＯＳ７の読み込み位置を取得して、後記するＯＳ７の機能を実現する。また、制御部２１は、要求に応じて、後記する画面表示プログラム８を呼び出して実行する。
【００２５】
特に本実施形態において、ＢＩＯＳ（制御部２１）は、ＢＩＯＳ機能手段６１、判定処理手段６２、画面表示指示手段６３として機能する。詳細を後記する。
【００２６】
（記憶部２２）
記憶部２２は、データやプログラムを記憶する構成部である。ここでは、磁気ディスク装置（ＨＤＤ；Hard Disk Drive）を記憶部２２として用いる場合を想定して説明する。
この記憶部２２には、ＯＳ７と、画面表示プログラム８と、ＡＴＭ１が取引等を行うために必要な業務アプリケーション９と、その他に、ミドルウェア、ドライバ、通信制御ソフト等が記憶されている。
【００２７】
（ＯＳ７）
ＯＳ７は、一般的なオペレーティングシステムであり、例えば、Windows（登録商標）、UNIX（登録商標）、Linux（登録商標）等である。
【００２８】
（画面表示プログラム８）
画面表示プログラム８は、ＯＳ７起動後に動作するプログラムであり、制御部２１により実行されることで、顧客用のモニタ、すなわち、顧客モニタＣ及びサブモニタＳに対して画面の表示をオンにさせる。
【００２９】
（フラッシュメモリ２３）
フラッシュメモリ２３は、ＢＩＯＳプログラム６を記憶する記憶手段である。ここではフラッシュメモリ２３としたが、ＡＴＭ１の電源が切られても、データ（ＢＩＯＳプログラム６）が消えない不揮発性の記憶手段であればよい。
【００３０】
（ＳＲＡＭ２４）
ＳＲＡＭ２４は、ＢＩＯＳ設定情報を保持しておく記憶手段であり、ＡＴＭ１の電源が切られても、不図示の蓄電池（例えばボタン電池）から電力が供給され、データが消えない記憶手段である。
【００３１】
（画像処理部２５）
画像処理部２５は、例えばＧＰＵ（Graphics Processing Unit）等のグラフィックスコントローラである。
この画像処理部２５は、本実施形態において、制御部２１からの指示に応じて、記憶部２２に記憶された映像データを取得する機能、映像データを信号変換する機能や、映像データをビデオメモリ（不図示）に一旦蓄積させる機能等を有する、すなわち、一般的な画像処理手段である。そのため、詳細な説明を省略する。
【００３２】
（外部接続ユニット２６）
外部接続ユニット２６は、映像ケーブル３３，４３が接続されるインタフェースを備え、制御部２１に制御されて、信号の送受信を行う手段である。
Ｉ/Ｏ（Input/Output）ポート２６１は、映像ケーブル３３，４３と接続された機器（ハードウェア）との情報の入出力に使用するインタフェースである。本実施形態では、一例としてＤＶＩポートを用いた場合について説明する。
【００３３】
以下、本実施形態と直接の関係はないが、一般的な自動取引装置が備える機器について説明する。
紙幣取扱部５１は、紙幣の入出金を取り扱う構成部である。この紙幣取扱部５１は、入金時は不図示の紙幣入出金口に投入された紙幣を内部に取り込み、制御部２１に計数させてから、不図示の格納庫に格納する機能を持つ。また、出金時は格納庫から紙幣を取り出して、紙幣入出金口に排出する機能等を備える。
【００３４】
硬貨取扱部５２は、硬貨の入出金を取り扱う構成部である。硬貨取扱部５２は、紙幣取扱部５１と同様に、入金時は不図示の硬貨入出金口に投入された硬貨を内部に取り込み、制御部２１に計数させてから、不図示の格納庫に格納する機能を持つ。また、出金時は格納庫から硬貨を取り出して、硬貨入出金口に排出する機能等を備える。
【００３５】
カードリーダライタ部５４は、不図示のカード挿入排出口に挿入された媒体（カード）を読み取ってデータを抽出し、制御部２１に出力する機能を持つ。また、制御部２１からの書き込み要求に応じてデータを媒体に記録する機能も持つ。
レシート部５５は、用紙に取引履歴を印字する。この用紙は、媒体と共に、カード挿入排出口に排出される。
【００３６】
≪ＢＩＯＳ（制御部２１）≫
本実施形態におけるＢＩＯＳ（制御部２１）について説明する。
ＢＩＯＳ（制御部２１）は、一般的なＢＩＯＳプログラムを実行したときに行われるＢＩＯＳ機能手段６１としての機能に、さらに、判定処理手段６２としての機能と、画面表示指示手段６３としての機能とを備えたものである。
【００３７】
（ＢＩＯＳ機能手段６１）
ＢＩＯＳ機能手段６１は、一般的なＢＩＯＳプログラムを実行した場合の機能である。すなわち、ＢＩＯＳ機能手段６１は、ＰＯＳＴシーケンスを実行し、ハードウェアの認識、ハードウェアのチェック、ハードウェアの初期化を行い、最後に、ＯＳ７の起動プログラムを呼び出して、処理を終了する。
【００３８】
このハードウェアの認識は、制御装置２に接続された機器（ハードウェア）の情報を取得することで行われる。本実施形態では、モニタから仕様・特性示すパラメータ（ＥＤＩＤ；Extended Display Identification Data）を取得する。このＥＤＩＤは、ＤＤＣ（VESA Display Data Channel）通信方式で取得できる情報であり、メーカ、モデル（機種）、シリアルナンバ、製造時期、画面サイズ、画素数、カラー特性等の様々な情報が含まれる。このＤＤＣ及びＥＤＩＤは、ＶＥＳＡ（Video Electronics Standards Association）により規格化されている。
【００３９】
ＰＯＳＴシーケンスを実行することにより、以下の処理が行われる。
≪ＰＯＳＴシーケンス≫
[１] ハードウェアの認識
・何が接続されているかを認識する。
・認識できなければこれ以降接続されていないものとして扱う。
[２] ハードウェアのチェック
・認識されたハードウェアが正常であるかをチェックする。
・異常がある場合は警告表示・警告音を出力させる。
[３] ハードウェアの初期化
・ＢＩＯＳセットアップでの設定内容に応じたハードウェアの初期化を実行する。
・ハードウェアが備えるＢＩＯＳに初期化を実行させる場合もある。
ここまでの作業が完了してからＯＳ７に引き継ぐ。
[４] ＯＳの起動プログラムを呼び出す。
【００４０】
（判定処理手段６２）
判定処理手段６２は、ＰＯＳＴシーケンスによる「ハードウェアの認識」で得られた情報に基づき、モニタの組み合わせ判定を行い、自身のＡＴＭ種別を判定する。この判定処理手段６２は、銀行ＡＴＭ１０ａ、単画面コンビニＡＴＭ１０ｂ、二画面コンビニＡＴＭ１０ｃ、その他のいずれかに分ける処理を行う。
【００４１】
（画面表示指示手段６３）
画面表示指示手段６３は、判定処理手段６２による（モニタの組み合わせ判定）判定結果に基づき、モニタ３，４に対して画面３１の表示許可／禁止の指示をする。例えば不図示のバックライトの点灯／消灯を指示する。
【００４２】
ここで、本実施形態において、映像ケーブル３３，４３がＤＶＩ端子（DVI-DまたはDVI-I）を有する場合、ＢＩＯＳ（制御部２１）は、ＤＶＩ（Digital Visual Interface）のデジタル側の６番ピン（DDC Clock）と７番ピン（DDC Data）と１６番ピン（Hot Plug Detect）とを用いて行う判定について説明する。
【００４３】
１６番ピン（Hot Plug Detect）で得られる信号からは、ハードウェア（モニタ３，４）が接続されているか否かを判定することができる。この信号のレベルがＨ（High）になると、ＢＩＯＳ（制御部２１）はハードウェア（モニタ３，４）が接続されたと認識する。
６番ピン（DDC Clock）及び７番ピン（DDC Data）で得られるシリアル信号からは、接続されたモニタ３，４から、機種や解像度、対応周波数の情報を取得することができる。
【００４４】
≪フローチャート≫
図３を用いて、ＡＴＭ１の電源が投入されたタイミングで、ＢＩＯＳ設定を読み込んでＡＴＭ種別判定を行い、ＡＴＭ１が備えるモニタ（３，４）の画面（３１，４１）に映像を表示させるタイミングを決める画面制御初期動作について説明する。
図３は、ＡＴＭ１が実行する画面制御初期動作のフローチャートである。
【００４５】
まず、係員や設置業者等により、ＡＴＭ１の電源が投入される（ステップＳ１）。
ＡＴＭ１の制御部２１は、フラッシュメモリ２３からＢＩＯＳプログラム６を読み込む。これによりＢＩＯＳが起動し（ステップＳ２）、制御部２１はＢＩＯＳの機能を実現する。
【００４６】
ＢＩＯＳ（制御部２１）は、ＰＯＳＴシーケンスを実行し、ハードウェアの認識処理を行う。
まず、ＢＩＯＳ（制御部２１）は、制御装置２（外部接続ユニット２６）に何か接続されているかを確認する。例えば、ＤＶＩ端子の１６番ピン（Hot Plug Detect）で得られる信号から確認する。そして、ＢＩＯＳ（制御部２１）は、接続されたハードウェアの数が２つであるか否かを判定する（接続数＝２？；ステップＳ３）。
ステップＳ３でＮｏの場合の処理については後記する（図４）。
【００４７】
（ステップＳ３でＹｅｓの場合）
接続されたハードウェアの数が２つであれば（ステップＳ３，Ｙｅｓ）、ＢＩＯＳ（制御部２１）は、何のハードウェアが接続されているかを認識して、接続先情報（モニタ種別情報）を取得する。例えば、６番ピン（DDC Clock）及び７番ピン（DDC Data）で得られる信号から認識する。
そして、接続先情報の組み合わせを判定する（ステップＳ４）。
【００４８】
この判定において、得られた２つの接続先情報を組み合わせて、次の（ａ）〜（ｃ）の何れに該当するかを判定する。
（ａ）係員モニタＭ、顧客モニタＣ
（ｂ）顧客モニタＣ、サブモニタＳ
（ｃ）ａ，ｂ以外の組み合わせ
【００４９】
この判定は例えば、予めモニタの機種別に係員モニタＭ、顧客モニタＣ、サブモニタＳを決めておき、それらの情報をデータ化して、フラッシュメモリ２３に記録しておく。そして、ＢＩＯＳ（制御部２１）は、ハードウェアの認識処理で得られた接続先情報に含まれる機種の情報から、係員モニタＭ、顧客モニタＣ、サブモニタＳを判別すればよい。
また、判定において、モニタの機種別だけでなく、モニタの画面サイズや画素数、メーカ等の接続先情報またはそれら接続先情報の組み合わせで、係員モニタＭ、顧客モニタＣ、サブモニタＳを予め決めておき、それらの情報をデータ化して、フラッシュメモリ２３に記録しておいてもよい。
【００５０】
（ステップＳ４の判定で「（ａ）係員モニタＭ、顧客モニタＣ」に該当した場合）
ステップＳ４の判定が（ａ）であった場合、ＢＩＯＳ（制御部２１）は、自身のＡＴＭ種別が「銀行ＡＴＭ１０ａ」であるとわかる。
そして、ＢＩＯＳ（制御部２１）は、係員モニタＭに対して画面の表示をオンにする指示をし、顧客モニタＣに対して画面の表示をオフにする指示する（ステップＳ１１）。
また、ＢＩＯＳ（制御部２１）は、ＰＯＳＴシーケンスを続行し、ハードウェアのチェック、ハードウェアの初期化を行う。
これにより、係員モニタＭには画面（保守画面）が表示され（係員モニタＭ：オン）、さらに、係員が所定の操作を行うことによりＢＩＯＳ設定画面が表示され、手動でＢＩＯＳの設定が変更できるようになる。一方、顧客モニタＣには、制御装置２から係員モニタＭに表示される映像信号が出力されるものの、画面（保守画面）が表示されない（顧客モニタＣ：オフ（バックライト：オフ））。つまり、画面の表示内容が肉眼で見えなかったり、表示内容を認識できない（不可視化）。そのため、銀行ＡＴＭ１０ａの表面側（図１（ａ））にいる利用者は所定の操作を行うことができず、ＢＩＯＳ設定画面は表示されない。
【００５１】
最後に、ＢＩＯＳ（制御部２１）は、ＯＳ７の起動プログラム（ブートローダ）を呼び出して、制御部２１はＢＩＯＳの機能を終了する（ステップＳ１２）。これによりＯＳ７が起動し（ステップＳ１３）、制御部２１はＯＳ７の機能を実現する。
この時点でも、係員モニタＭにはＯＳ７の起動画面が表示される一方、顧客モニタＣには画面が表示されない（係員モニタＭ：オン、顧客モニタＣ：オフ（バックライト：オフ））。
【００５２】
その後、制御部２１は、専用の画面表示プログラム８を実行し（ステップＳ１４）、専用の画面表示プログラム８に従い、顧客モニタＣに対して画面の表示をオンにする指示する（ステップＳ１５）。これにより、顧客モニタＣには画面が表示される（係員モニタＭ：オン、顧客モニタＣ：オン（バックライト：オン））。
そして、ＡＴＭ１は画面制御初期動作を終了する。
【００５３】
（ステップＳ４の判定で「（ｂ）顧客モニタＣ、サブモニタＳ」に該当した場合）
ステップＳ４の判定が（ｂ）であった場合、ＢＩＯＳ（制御部２１）は、自身のＡＴＭ種別が「二画面コンビニＡＴＭ１０ｃ」であるとわかる。
そして、ＢＩＯＳ（制御部２１）は、顧客モニタＣ及びサブモニタＳに対して画面の表示をオフにする指示する（ステップＳ２１）。
また、ＢＩＯＳ（制御部２１）は、ＰＯＳＴシーケンスを続行し、ハードウェアのチェック、ハードウェアの初期化を行う。
これにより、制御装置２から銀行ＡＴＭ１０ａの係員モニタＭに表示される映像信号が出力されるものの、顧客モニタＣ及びサブモニタＳには画面（保守画面）が表示されない（顧客モニタＣ：オフ、サブモニタＳ：オフ）（バックライト：オフ）。つまり、画面の表示内容が肉眼で見えなかったり、表示内容を認識できない（不可視化）。そのため、利用者（係員や顧客）は所定の操作を行うことができず、ＢＩＯＳ設定画面が表示されない。
【００５４】
最後に、ＢＩＯＳ（制御部２１）は、ＯＳ７の起動プログラムを呼び出して、制御部２１はＢＩＯＳの機能を終了する（ステップＳ２２）。これによりＯＳ７が起動し（ステップＳ２３）、制御部２１はＯＳ７の機能を実現する。
このときも、制御装置２から銀行ＡＴＭ１０ａの係員モニタＭに表示される映像信号が出力されるものの、顧客モニタＣ及びサブモニタＳには画面（ＯＳ７の起動画面）が表示されない（顧客モニタＣ：オフ、サブモニタＳ：オフ）（バックライト：オフ）。
【００５５】
その後、制御部２１は、専用の画面表示プログラム８を実行し（ステップＳ２４）、専用の画面表示プログラム８に従い、顧客モニタＣ及びサブモニタＳに対して画面の表示をオンにする指示する（ステップＳ２５）。これにより、顧客モニタＣ及びサブモニタＳには画面（取引画面）が表示される（顧客モニタＣ：オン、サブモニタＳ：オン）（バックライト：オン）。
そして、ＡＴＭ１は画面制御初期動作を終了する。
【００５６】
（ステップＳ４の判定で「（ｃ）ａ，ｂ以外の組み合わせ」に該当した場合）
ステップＳ４の判定が（ｃ）であった場合、ＢＩＯＳ（制御部２１）は、自身のＡＴＭ種別が「不明」であるとわかる。そして、ＢＩＯＳ（制御部２１）は、いずれかの接続先情報がモニタ（係員モニタＭ、顧客モニタＣ、サブモニタＳのいずれでもないモニタ）であれば、そのモニタに対して、画面にエラーメッセージを表示させるように指示する（ステップＳ３１）。これにより、そのモニタの画面にはエラーメッセージが表示される（モニタ：オン）（バックライト：オン）。
そして、ＡＴＭ１は画面制御初期動作を終了する。
【００５７】
図４に、ステップＳ３でＮｏの場合の処理について説明する。
（ステップＳ３でＮｏの場合）
接続されたハードウェアの数が２つでなければ（ステップＳ３，Ｎｏ）、すなわち、接続数が１つ（係員モニタＭ、顧客モニタＣ、サブモニタＳのいずれか１つ）だったり、係員モニタＭ、顧客モニタＣ、サブモニタＳのいずれでもないモニタやデバイスが接続されていた場合、ＢＩＯＳ（制御部２１）は、何のハードウェアが接続されているかを認識して、接続先情報を取得する。例えば、６番ピン（DDC Clock）及び７番ピン（DDC Data）で得られる信号から認識する。
そして、接続先情報を判定する（ステップＳ５）。
【００５８】
この判定において、得られた２つの接続先情報を組み合わせて、次の（ｄ）〜（ｅ）の何れに該当するかを判定する。
（ｄ）顧客モニタＣ
（ｅ）ｄ以外のハードウェア
【００５９】
（ステップＳ５の判定で「（ｄ）顧客モニタＣ」に該当した場合）
ステップＳ４の判定が（ｄ）であった場合、ＢＩＯＳ（制御部２１）は、自身のＡＴＭ種別が「単画面コンビニＡＴＭ１０ｂ」であるとわかる。
そして、ＢＩＯＳ（制御部２１）は、顧客モニタＣに対して画面の表示をオフにする指示する（ステップＳ５１）。
また、ＢＩＯＳ（制御部２１）は、ＰＯＳＴシーケンスを続行し、ハードウェアのチェック、ハードウェアの初期化を行う。
これにより、通常はＢＩＯＳ設定画面が表示されるが、顧客モニタＣには画面が表示されない（顧客モニタＣ：オフ）（バックライト：オフ）。つまり、画面の表示内容が肉眼で見えなかったり、表示内容を認識できない（不可視化）。
【００６０】
最後に、ＢＩＯＳ（制御部２１）は、ＯＳ７の起動プログラムを呼び出して、制御部２１はＢＩＯＳの機能を終了する（ステップＳ５２）。これによりＯＳ７が起動し（ステップＳ５３）、制御部２１はＯＳ７の機能を実現する。
【００６１】
その後、制御部２１は、専用の画面表示プログラム８を実行し（ステップＳ５４）、専用の画面表示プログラム８に従い、顧客モニタＣに対して画面の表示をオンにする指示する（ステップＳ５５）。これにより、顧客モニタＣには画面が表示される（顧客モニタＣ：オン）（バックライト：オン）。
そして、ＡＴＭ１は画面制御初期動作を終了する。
【００６２】
（ステップＳ５の判定で「（ｅ）ｄ以外のハードウェア」に該当した場合）
ステップＳ５の判定が（ｅ）であった場合、ＢＩＯＳ（制御部２１）は、自身のＡＴＭ種別が「不明」であるとわかる。そして、ＢＩＯＳ（制御部２１）は、接続先情報がモニタ（係員モニタＭ、顧客モニタＣ、サブモニタＳのいずれでもないモニタ）であれば、そのモニタに対して、画面にエラーメッセージを表示させるように指示する（ステップＳ６１）。これにより、そのモニタの画面にはエラーメッセージが表示される（モニタ：オン）（バックライト：オン）。
そして、ＡＴＭ１は画面制御初期動作を終了する。
【００６３】
本発明は、前記した実施形態に限定されることなく、本発明の要旨を逸脱しない範囲で種々の変更や変形を行うことができる。
【００６４】
（マスタ／スレーブの切り替えについて）
銀行ＡＴＭ１０ａの場合、係員モニタＭがマスタに、顧客モニタＣがスレーブに設定されている。この設定を二画面コンビニＡＴＭ１０ｃにそのまま適用すると、サブモニタＳがマスタに、顧客モニタＣがスレーブに設定されてしまう。
そこで、銀行ＡＴＭ１０ａの係員モニタＭに送信される映像信号を、銀行ＡＴＭ１０ａの顧客モニタＣに送信するように、映像信号の送信先を切り替えてから、二画面コンビニＡＴＭ１０ｃに適用すればよい（これにより、顧客モニタＣがマスタに、サブモニタＳがスレーブになる）。
【００６５】
また、例えば、二画面コンビニＡＴＭ１０ｃの場合、通常の手順では保守画面（ＢＩＯＳ設定画面等）が表示されないが、ある特定の手順（例えば、所定のスイッチを押しながらＡＴＭの電源を投入する）を行うことにより、マスタのモニタに保守画面が表示される。このとき、マスタがサブモニタＳになるため、画面が見づらくて作業がしづらい。そこで、二画面コンビニＡＴＭ１０ｃの場合、顧客モニタＣをマスタに、サブモニタＳをスレーブにすると都合がよい。
【００６６】
そこで、図３のステップＳ４の判定において、得られた接続先情報（モニタ種別情報）が、係員モニタＭ、顧客モニタＣ、サブモニタＳのうちのいずれのモニタであるのかを判定している。この判定結果から、さらに、一方のモニタをマスタに設定し、他方をスレーブに設定してもよい。例えば、図３のステップＳ４の判定が（ａ）であった場合、すなわち、自身のＡＴＭ種別が「銀行ＡＴＭ１０ａ」である場合、係員モニタＭをマスタに、顧客モニタＣをスレーブにする。一方、図３のステップＳ４の判定が（ｂ）であった場合、すなわち、自身のＡＴＭ種別が「二画面コンビニＡＴＭ１０ｃ」である場合、顧客モニタＣをマスタに、サブモニタＳをスレーブにする。このように、ＡＴＭ１のモニタ等のハードウェア環境に応じて画面表示制御を変えるだけでなく、マスタ/スレーブの切り替えを行う機能があってもよい。
【００６７】
（接続先情報の組み合わせ判定に必要な情報の記録場所について）
図３のステップＳ４及びＳ５の判定において、得られた接続先情報（モニタ種別情報）が、係員モニタＭ、顧客モニタＣ、サブモニタＳのうちのいずれのモニタであるのかを判定している。本実施形態では、この判定に必要な情報をデータ化してフラッシュメモリ２３に記述しておくとしたが、ＢＩＯＳプログラム６を実行中の制御部２１がアクセスできる場所に記録されていればよい。例えば、判定に必要な情報（接続先情報）が羅列されたデータであってもよい。また、判定に必要な情報がデータ化されて記録された場所にアクセスするためのアドレスが記述されたデータがあってもよい。
【００６８】
（画面表示について）
本実施形態において、バックライト（不図示）をオフにすることで、モニタの画面を不鮮明にし、不可視化させる画面制御を行っているが、その他の方法でもよい。例えば、バックライトをオンにさせた上で、モニタの画面全体が黒色で表示される映像信号をモニタに送信してもよい。これにより、顧客モニタＣの画面は黒色で表示されるため、保守用の映像は映らない（視認できない）。
【００６９】
（エラーメッセージについて）
本実施形態において、エラーメッセージを画面に表示させることとしたが、ＡＴＭ１が備える不図示のスピーカやアンプ、サウンドチップ等の音響機器を用いて、エラーメッセージを音声出力してもよい。
【００７０】
（映像ケーブルについて）
本実施形態では、ＥＤＩＤを取得することで、制御装置２に接続された機器（ハードウェア）の情報を取得しているが、他の方法であってもよい。
また、映像ケーブル３３はデジタル通信が行えるケーブルであればよく、例えばＨＤＭＩ（High-Definition Multimedia Interface）（登録商標）端子を有するデジタルケーブルやＵＳＢ（Universal Serial Bus）端子を有するデジタルケーブル等であってもよい。
【００７１】
また、映像ケーブル３３にアナログケーブルを用いてもよい。例えば、Ｄ−Ｓｕｂ１５端子を有するアナログケーブルを用いる場合、Ｄ−Ｓｕｂ１５端子が有する複数の空きピンを短絡／開放させ、モニタの種類別に短絡／開放させた空きピンの組み合わせを決めておく。映像ケーブル３３のＡＴＭ１側の接続先であるＩ/Ｏポート２６１側でプルアップさせる。これによりＩ/Ｏポート２６１（外部接続ユニット２６）で得られる値の組み合わせ（High/Low）からモニタを判別すればよい。この場合、モニタの電源が切れていても、係員モニタＭ、顧客モニタＣ、サブモニタＳのうちのいずれのモニタであるのかを判定することができる。このように、アナログケーブルであっても短絡／開放された空きピンからモニタの種類を判別することができる。
【００７２】
（ＡＴＭの電源オンについて）
本実施形態では、画面制御初期動作の開始条件を、ＡＴＭ１の電源を投入する（電源オン）こととしたが、制御装置２に接続されたハードウェアやデバイスの更新が行える状態になればよく、コールドリブート後であればよい。
【符号の説明】
【００７３】
１      ＡＴＭ（自動取引装置）
２      制御装置
３，４  モニタ
６      ＢＩＯＳプログラム
７      ＯＳ
８      画面表示プログラム
９      業務アプリケーション
１０ａ  銀行ＡＴＭ
１０ｂ  単画面コンビニＡＴＭ（コンビニＡＴＭ）
１０ｃ  二画面コンビニＡＴＭ（コンビニＡＴＭ）
２１    制御部
２２    記憶部
２３    フラッシュメモリ（不揮発性記憶部）
２４    ＳＲＡＭ
２５    画像処理部
２６    外部接続ユニット
３１，４１  画面
３２，４２  映像表示部
３３，４３  映像ケーブル
３４，４４  信号送受信部
５１    紙幣取扱部
５２    硬貨取扱部
５３    近接センサ
５４    カードリーダライタ部
５５    レシート部
６１    ＢＩＯＳ機能手段
６２    判定処理手段
６３    画面表示指示手段
２６１  Ｉ/Ｏポート
Ｍ      係員モニタ（保守点検モニタ）
Ｃ      顧客モニタ（通常利用モニタ）
Ｓ      サブモニタ（顧客モニタ）（通常利用モニタ）（告知用モニタ）
【図１】
2015185038.tif 000003
【図２】
2015185038.tif 000004
【図３】
2015185038.tif 000005
【図４】
2015185038.tif 000006